(57)【要約】  本開示は、伝送リソース指示方法、基地局、ＵＥおよびシステムを提供する。当該方法は、基地局から伝送される、伝送リソースのＴＴＩ長、時間領域位置および周波数領域位置のうちの１つまたは複数を指示するための指示情報を含むＤＣＩをＵＥが受信することと、上記ＵＥが指示情報に基づいて上記伝送リソースを確定して上記伝送リソースで伝送を行うこととを含む。【選択図】図２
2019516284.tif 000002
【特許請求の範囲】
【請求項１】
基地局から伝送される、伝送リソースのＴＴＩ（Ｔｒａｎｓｍｉｓｓｉｏｎ  Ｔｉｍｅ  Ｉｎｔｅｒｖａｌ）長、時間領域位置および周波数領域位置のうちの１つまたは複数を指示するための指示情報を含むＤＣＩ（Ｄｏｗｎｌｉｎｋ  Ｃｏｎｔｒｏｌ  Ｉｎｆｏｒｍａｔｉｏｎ）をＵＥ（Ｕｓｅｒ  Ｅｑｕｉｐｍｅｎｔ）が受信することと、
上記ＵＥが指示情報に基づいて上記伝送リソースを確定して上記伝送リソースで伝送を行うこととを含む伝送リソース指示方法。
【請求項２】
基地局から伝送されるＤＣＩを上記ＵＥが受信することは、
基地局から時間上１ｍｓ以下の物理下りリンク制御チャネルで伝送される上記ＤＣＩを上記ＵＥが受信することを含む請求項１に記載の方法。
【請求項３】
上記伝送リソースは、時間上１ｍｓ以下であり、かつ上りリンクまたは下りリンクの物理シェアドチャネルの伝送に用いられる請求項１または２に記載の方法。
【請求項４】
上記指示情報は、Ｍ（１以上の正整数）ビットによって上記伝送リソースのＴＴＩ長を指示する請求項１または２に記載の方法。
【請求項５】
上記指示情報は、上記伝送リソースのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数、または、ＴＴＩ長集合で上記伝送リソースのＴＴＩ長に対応する集合元素数を、Ｍビットによって指示する請求項４に記載の方法。
【請求項６】
上記指示情報は、Ｎ（１以上の正整数）ビットによって上記伝送リソースの時間領域位置を指示する請求項１または２に記載の方法。
【請求項７】
上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する請求項６に記載の方法。
【請求項８】
上記指示情報は、Ｑ（１以上の正整数）ビットによって上記伝送リソースのＴＴＩ長と時間領域位置を指示する請求項１または２に記載の方法。
【請求項９】
上記指示情報は、Ｐ（１以上の正整数）ビットによって上記伝送リソースの周波数領域位置を指示し、ここで、上記周波数領域位置は、上記伝送リソースが占用するＲＢ（Ｒｅｓｏｕｒｃｅ  Ｂｌｏｃｋ）の位置、または、上記伝送リソースが占用するサブキャリアの位置を含む請求項１または２に記載の方法。
【請求項１０】
伝送リソースのＴＴＩ長、時間領域位置および周波数領域位置のうちの１つまたは複数を指示するための指示情報を含むＤＣＩを基地局が生成することと、
ＵＥが指示情報に基づいて上記伝送リソースを確定して上記伝送リソースで伝送を行うよう、上記基地局から上記ＤＣＩを上記ＵＥに伝送することとを含む伝送リソース指示方法。
【請求項１１】
上記基地局から上記ＤＣＩをＵＥに伝送することは、
上記基地局が時間上１ｍｓ以下の物理下りリンク制御チャネルでＵＥに上記ＤＣＩを伝送することを含む請求項１０に記載の方法。
【請求項１２】
上記伝送リソースは、時間上１ｍｓ以下であり、かつ上りリンクまたは下りリンクの物理シェアドチャネルの伝送に用いられる請求項１０または１１に記載の方法。
【請求項１３】
上記指示情報は、Ｍ（１以上の正整数）ビットによって上記伝送リソースのＴＴＩ長を指示する請求項１０または１１に記載の方法。
【請求項１４】
上記指示情報は、上記伝送リソースのＯＦＤＭシンボル数、または、ＴＴＩ長集合で上記伝送リソースのＴＴＩ長に対応する集合元素数を、Ｍビットによって指示する請求項１３に記載の方法。
【請求項１５】
上記指示情報は、Ｎ（１以上の正整数）ビットによって上記伝送リソースの時間領域位置を指示する請求項１０または１１に記載の方法。
【請求項１６】
上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する請求項１５に記載の方法。
【請求項１７】
上記指示情報は、Ｑ（１以上の正整数）ビットによって上記伝送リソースのＴＴＩ長と時間領域位置を指示する請求項１０または１１に記載の方法。
【請求項１８】
上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む請求項１０または１１に記載の方法。
【請求項１９】
基地局から伝送される、伝送リソースのＴＴＩ長、時間領域位置および周波数領域位置のうちの１つまたは複数を指示するための指示情報を含むＤＣＩを受信する受信モジュールと、
指示情報に基づいて上記伝送リソースを確定して上記伝送リソースで伝送を行う伝送モジュールとを含むＵＥ。
【請求項２０】
上記受信モジュールは、
基地局から時間上１ｍｓ以下の物理下りリンク制御チャネルで伝送される上記ＤＣＩを受信することに用いられる請求項１９に記載のＵＥ。
【請求項２１】
上記伝送リソースは、時間上１ｍｓ以下であり、かつ上りリンクまたは下りリンクの物理シェアドチャネルの伝送に用いられる請求項１９または２０に記載のＵＥ。
【請求項２２】
上記指示情報は、Ｍ（１以上の正整数）ビットによって上記伝送リソースのＴＴＩ長を指示する請求項１９または２０に記載のＵＥ。
【請求項２３】
上記指示情報は、上記伝送リソースのＯＦＤＭシンボル数、または、ＴＴＩ長集合で上記伝送リソースのＴＴＩ長に対応する集合元素数を、Ｍビットによって指示する請求項２２に記載のＵＥ。
【請求項２４】
上記指示情報は、Ｎ（１以上の正整数）ビットによって上記伝送リソースの時間領域位置を指示する請求項１９または２０に記載のＵＥ。
【請求項２５】
上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する請求項２４に記載のＵＥ。
【請求項２６】
上記指示情報は、Ｑ（１以上の正整数）ビットによって上記伝送リソースのＴＴＩ長と時間領域位置を指示する請求項１９または２０に記載のＵＥ。
【請求項２７】
上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む請求項２０に記載のＵＥ。
【請求項２８】
伝送リソースのＴＴＩ長、時間領域位置および周波数領域位置のうちの１つまたは複数を指示するための指示情報を含むＤＣＩを生成する生成モジュールと、
ＵＥが指示情報に基づいて上記伝送リソースを確定して上記伝送リソースで伝送を行うよう、上記ＤＣＩを上記ＵＥに伝送する伝送モジュールとを含む基地局。
【請求項２９】
上記伝送モジュールは、
時間上１ｍｓ以下の物理下りリンク制御チャネルでＵＥに上記ＤＣＩを伝送することに用いられる請求項２８に記載の基地局。
【請求項３０】
上記伝送リソースは、時間上１ｍｓ以下であり、かつ上りリンクまたは下りリンクの物理シェアドチャネルの伝送に用いられる請求項２８または２９に記載の基地局。
【請求項３１】
上記指示情報は、Ｍ（１以上の正整数）ビットによって上記伝送リソースのＴＴＩ長を指示する請求項２８または２９に記載の基地局。
【請求項３２】
上記指示情報は、上記伝送リソースのＯＦＤＭシンボル数、または、ＴＴＩ長集合で上記伝送リソースのＴＴＩ長に対応する集合元素数を、Ｍビットによって指示する請求項３１に記載の基地局。
【請求項３３】
上記指示情報は、Ｎ（１以上の正整数）ビットによって上記伝送リソースの時間領域位置を指示する請求項２８または２９に記載の基地局。
【請求項３４】
上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する請求項３３に記載の基地局。
【請求項３５】
上記指示情報は、Ｑ（１以上の正整数）ビットによって上記伝送リソースのＴＴＩ長と時間領域位置を指示する請求項２８または２９に記載の基地局。
【請求項３６】
上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む請求項２８または２９に記載の基地局。
【請求項３７】
基地局とＵＥとを含む伝送リソース指示システムであって、
上記基地局は、伝送リソースのＴＴＩ長、時間領域位置および周波数領域位置のうちの１つまたは複数を指示するための指示情報を含むＤＣＩを生成すること、さらに、上記ＤＣＩをＵＥに伝送することに用いられ、
上記ＵＥは、上記基地局から伝送される上記ＤＣＩを受信すること、さらに、指示情報に基づいて上記伝送リソースを確定して上記伝送リソースで伝送を行うことに用いられる伝送リソース指示システム。
【請求項３８】
プロセッサと、トランシーバと、メモリとを含むＵＥであって、
上記プロセッサは、
メモリからプログラムを読み取って、
基地局から伝送される、伝送リソースのＴＴＩ長、時間領域位置および周波数領域位置のうちの１つまたは複数を指示するための指示情報を含むＤＣＩをトランシーバを介して受信するプロセスと、
指示情報に基づいて上記伝送リソースを確定し、上記伝送リソースでトランシーバを介して伝送を行うプロセスとを実行することに用いられるＵＥ。
【請求項３９】
プロセッサと、トランシーバと、メモリとを含む基地局であって、
上記プロセッサは、
メモリからプログラムを読み取って、
伝送リソースのＴＴＩ長、時間領域位置および周波数領域位置のうちの１つまたは複数を指示するための指示情報を含むＤＣＩを生成するプロセスと、
ＵＥが指示情報に基づいて上記伝送リソースを確定して上記伝送リソースで伝送を行うよう、上記ＤＣＩをトランシーバを介して上記ＵＥに伝送するプロセスとを実行することに用いられる基地局。
【発明の詳細な説明】
【技術分野】
【０００１】
本願は、２０１６年３月３１日に中国特許庁に提出された中国特許出願２０１６１０２０２０３８．６の優先権を主張し、その全ての内容が援用によりここに取り込まれる。
本開示は、通信技術分野に係り、特に伝送リソース指示方法、基地局、ユーザ端末（ＵＥ：Ｕｓｅｒ  Ｅｑｕｉｐｍｅｎｔ）およびシステムに係る。
【背景技術】
【０００２】
移動技術の発展に伴い、将来の移動通信システムにおいて、多様化するサービスをサポートすることが求められる。しかし、現在の移動通信システムにおいて、ＴＴＩ（Ｔｒａｎｓｍｉｓｓｉｏｎ  Ｔｉｍｅ  Ｉｎｔｅｒｖａｌ）長が１ミリ秒（ｍｓ）に一定され、かつＴＴＩ内で占用されるリソースも一定である。すなわち、現在の移動通信システムにおいて、ＴＴＩは、動的配置ではない。将来の移動通信システムにおいて、サービスが多様化する中、サービスのリクエストに応じてＴＴＩ長およびＴＴＩ内で占用されるリソースを動的に配置することは、技術発展の傾向になる。しかし、ＴＴＩの動的配置によって、伝送リソースも動的になる。よって、ＵＥが伝送リソースを知るようにすることは、現在解決しようとする技術問題である。
【発明の概要】
【発明が解決しようとする課題】
【０００３】
本開示の目的は、伝送リソースをＵＥに知らせる問題を解決する伝送リソース指示方法、基地局、ＵＥおよびシステムを提供することである。
【課題を解決するための手段】
【０００４】
上述の目的を達成するには、本開示の実施例による伝送リソース指示方法は、基地局から伝送される、伝送リソースのＴＴＩ長、時間領域位置および周波数領域位置のうちの１つまたは複数を指示するための指示情報を含むＤＣＩ（Ｄｏｗｎｌｉｎｋ  Ｃｏｎｔｒｏｌ  Ｉｎｆｏｒｍａｔｉｏｎ）をＵＥが受信することと、上記ＵＥが指示情報に基づいて上記伝送リソースを確定して上記伝送リソースで伝送を行うこととを含む。
【０００５】
選択可能に、基地局から伝送されるＤＣＩを上記ＵＥが受信することは、基地局から時間上１ｍｓ以下の物理下りリンク制御チャネルで伝送される上記ＤＣＩを上記ＵＥが受信することを含む。
【０００６】
選択可能に、上記伝送リソースは、時間上１ｍｓ以下であり、かつ上りリンクまたは下りリンクの物理シェアドチャネルの伝送に用いられる。
【０００７】
選択可能に、上記指示情報は、Ｍ（１以上の正整数）ビットによって上記伝送リソースのＴＴＩ長を指示する。
【０００８】
選択可能に、上記指示情報は、上記伝送リソースのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数、または、ＴＴＩ長集合で上記伝送リソースのＴＴＩ長に対応する集合元素数を、Ｍビットによって指示する。
【０００９】
選択可能に、上記指示情報は、Ｎ（１以上の正整数）ビットによって上記伝送リソースの時間領域位置を指示する。
【００１０】
選択可能に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【００１１】
選択可能に、上記指示情報は、Ｑ（１以上の正整数）ビットによって上記伝送リソースのＴＴＩ長と時間領域位置を指示する。
【００１２】
選択可能に、上記指示情報は、Ｐ（１以上の正整数）ビットによって上記伝送リソースの周波数領域位置を指示し、ここで、上記周波数領域位置は、上記伝送リソースが占用するＲＢ（Ｒｅｓｏｕｒｃｅ  Ｂｌｏｃｋ）の位置、または、上記伝送リソースが占用するサブキャリアの位置を含む。
【００１３】
本開示の実施例は、伝送リソースのＴＴＩ長、時間領域位置および周波数領域位置のうちの１つまたは複数を指示するための指示情報を含むＤＣＩを基地局が生成することと、ＵＥが指示情報に基づいて上記伝送リソースを確定して上記伝送リソースで伝送を行うよう、上記基地局から上記ＤＣＩを上記ＵＥに伝送することとを含む伝送リソース指示方法をさらに提供する。
【００１４】
選択可能に、上記基地局から上記ＤＣＩをＵＥに伝送することは、上記基地局が時間上１ｍｓ以下の物理下りリンク制御チャネルでＵＥに上記ＤＣＩを伝送することを含む。
【００１５】
選択可能に、上記伝送リソースは、時間上１ｍｓ以下であり、かつ上りリンクまたは下りリンクの物理シェアドチャネルの伝送に用いられる。
【００１６】
選択可能に、上記指示情報は、Ｍ（１以上の正整数）ビットによって上記伝送リソースのＴＴＩ長を指示する。
【００１７】
選択可能に、上記指示情報は、上記伝送リソースのＯＦＤＭシンボル数、または、ＴＴＩ長集合で上記伝送リソースのＴＴＩ長に対応する集合元素数を、Ｍビットによって指示する。
【００１８】
選択可能に、上記指示情報は、Ｎ（１以上の正整数）ビットによって上記伝送リソースの時間領域位置を指示する。
【００１９】
選択可能に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【００２０】
選択可能に、上記指示情報は、Ｑ（１以上の正整数）ビットによって上記伝送リソースのＴＴＩ長と時間領域位置を指示する。
【００２１】
選択可能に、上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む。
【００２２】
本開示の実施例は、基地局から伝送される、伝送リソースのＴＴＩ長、時間領域位置および周波数領域位置のうちの１つまたは複数を指示するための指示情報を含むＤＣＩを受信する受信モジュールと、指示情報に基づいて上記伝送リソースを確定して上記伝送リソースで伝送を行う伝送モジュールとを含むＵＥをさらに提供する。
【００２３】
選択可能に、上記受信モジュールは、基地局から時間上１ｍｓ以下の物理下りリンク制御チャネルで伝送される上記ＤＣＩを受信することに用いられる。
【００２４】
選択可能に、上記伝送リソースは、時間上１ｍｓ以下であり、かつ上りリンクまたは下りリンクの物理シェアドチャネルの伝送に用いられる。
【００２５】
選択可能に、上記指示情報は、Ｍ（１以上の正整数）ビットによって上記伝送リソースのＴＴＩ長を指示する。
【００２６】
選択可能に、上記指示情報は、上記伝送リソースのＯＦＤＭシンボル数、または、ＴＴＩ長集合で上記伝送リソースのＴＴＩ長に対応する集合元素数を、Ｍビットによって指示する。
【００２７】
選択可能に、上記指示情報は、Ｎ（１以上の正整数）ビットによって上記伝送リソースの時間領域位置を指示する。
【００２８】
選択可能に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【００２９】
選択可能に、上記指示情報は、Ｑ（１以上の正整数）ビットによって上記伝送リソースのＴＴＩ長と時間領域位置を指示する。
【００３０】
選択可能に、上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む。
【００３１】
本開示の実施例は、伝送リソースのＴＴＩ長、時間領域位置および周波数領域位置のうちの１つまたは複数を指示するための指示情報を含むＤＣＩを生成する生成モジュールと、ＵＥが指示情報に基づいて上記伝送リソースを確定して上記伝送リソースで伝送を行うよう、上記ＤＣＩを上記ＵＥに伝送する伝送モジュールとを含む基地局をさらに提供する。
【００３２】
選択可能に、上記伝送モジュールは、時間上１ｍｓ以下の物理下りリンク制御チャネルでＵＥに上記ＤＣＩを伝送することに用いられる。
【００３３】
選択可能に、上記伝送リソースは、時間上１ｍｓ以下であり、かつ上りリンクまたは下りリンクの物理シェアドチャネルの伝送に用いられる。
【００３４】
選択可能に、上記指示情報は、Ｍ（１以上の正整数）ビットによって上記伝送リソースのＴＴＩ長を指示する。
【００３５】
選択可能に、上記指示情報は、上記伝送リソースのＯＦＤＭシンボル数、または、ＴＴＩ長集合で上記伝送リソースのＴＴＩ長に対応する集合元素数を、Ｍビットによって指示する。
【００３６】
選択可能に、上記指示情報は、Ｎ（１以上の正整数）ビットによって上記伝送リソースの時間領域位置を指示する。
【００３７】
選択可能に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【００３８】
選択可能に、上記指示情報は、Ｑ（１以上の正整数）ビットによって上記伝送リソースのＴＴＩ長と時間領域位置を指示する。
【００３９】
選択可能に、上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む。
【００４０】
本開示の実施例は、基地局とＵＥとを含む伝送リソース指示システムをさらに提供する。上記基地局は、伝送リソースのＴＴＩ長、時間領域位置および周波数領域位置のうちの１つまたは複数を指示するための指示情報を含むＤＣＩを生成すること、さらに、上記ＤＣＩをＵＥに伝送することに用いられる。上記ＵＥは、上記基地局から伝送される上記ＤＣＩを受信すること、さらに、指示情報に基づいて上記伝送リソースを確定して上記伝送リソースで伝送を行うことに用いられる。
【発明の効果】
【００４１】
本開示の実施例において、基地局から伝送される、伝送リソースのＴＴＩ長、時間領域位置および周波数領域位置のうちの１つまたは複数を指示するための指示情報を含むＤＣＩをＵＥが受信し、上記ＵＥが指示情報に基づいて上記伝送リソースを確定して上記伝送リソースで伝送を行うことによって、少なくとも伝送リソースをＵＥに知らせることができる有益の効果を奏する。
【図面の簡単な説明】
【００４２】
【図１】図１は、本開示の実施例によるネットワーク構造の概略図である。
【図２】図２は、本開示の実施例による伝送リソース指示方法のフローチャートである。
【図３】図３は、本開示の実施例による伝送リソース指示を示す概略図である。
【図４】図４は、本開示の実施例による別の伝送リソース指示を示す概略図である。
【図５】図５は、本開示の実施例による別の伝送リソース指示を示す概略図である。
【図６】図６は、本開示の実施例による別の伝送リソース指示方法のフローチャートである。
【図７】図７は、本開示の実施例によるＵＥの概略構造図である。
【図８】図８は、本開示の実施例による基地局の概略構造図である。
【図９】図９は、本開示の実施例による別のＵＥの概略構造図である。
【図１０】図１０は、本開示の実施例による別の基地局の概略構造図である。
【図１１】図１１は、本開示の実施例による伝送リソース指示システムの概略構造図である。
【発明を実施するための形態】
【００４３】
本開示の解決しようとする技術課題、技術手段および利点をより明確にするために、以下、図面および具体的な実施例を参照しながら詳細に記載する。
【００４４】
図１は、本開示の実施例によるネットワーク構造の概略図である。図１に示されているように、基地局１１とＵＥ１２とを含む。ここで、基地局１１は、ｅＮＢ（ｅｖｏｌｖｅｄ  Ｎｏｄｅ  Ｂ）や他の基地局である。なお、本開示の実施例において、基地局１１の具体的なタイプは、限定されない。基地局１１は、ＵＥ１２と通信を確立することができる。図示のネットワークは、基地局１１とＵＥ１２との無線通信の確立が可能である。ＵＥ１２は、携帯電話、タブレットパソコン（Ｔａｂｌｅｔ  Ｐｅｒｓｏｎａｌ  Ｃｏｍｐｕｔｅｒ）、ラップトップ型コンピュータ（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末機器である。なお、本開示の実施例において、ＵＥ１２の具体的なタイプは、限定されない。
【００４５】
図１に示すネットワーク構造に基づき、本開示の実施例による伝送リソース指示方法は、図２に示すように、基地局から伝送される、伝送リソースのＴＴＩ長、時間領域位置および周波数領域位置のうちの１つまたは複数を指示するための指示情報を含むＤＣＩをＵＥが受信するステップ２０１と、ＵＥが指示情報に基づいて上記伝送リソースを確定して上記伝送リソースで伝送を行うステップ２０２とを含む。
【００４６】
ここで、上記ＴＴＩは、サービスのリクエストに応じて動的に配置されてもよく、非動的配置であってもよいが、これについて本実施例において限定されない。また、本方法は、伝送リソースのＴＴＩ長、時間領域位置および周波数領域位置のうちの１つまたは複数をＤＣＩによって通知する。このように、ＴＴＩが変化しても、本方法は、適用することもでき、将来に多様化するサービスをより好適にサポートすることができる。
【００４７】
また、上記伝送リソースは、スケジューリングされるデータの伝送リソースである。ここで、データは、上記ＵＥの上りリンクデータまたは下りリンクデータである。また、上記ＤＣＩは、データスケジューリング用のスケジューリング情報をさらに含んでもよい。すなわち、上記伝送リソースは、当該ＤＣＩによってスケジューリングされるデータの伝送リソースであってもよい。もちろん、本実施例において、これについて限定されない。例えば、一部のシーンでは、上記伝送リソースは、シグナリングの伝送リソースなどである。また、上記伝送リソースは、物理シェアドチャネルに占用される伝送リソースと理解されてもよい。
【００４８】
ここで、上記時間領域位置は、上記伝送リソースの時間領域開始位置である。もちろん、一部のシーンでは、上記時間領域位置は、上記伝送リソースの時間領域開始位置と時間領域終了位置などである。本実施例において、これについて限定されない。上記周波数領域位置は、上記伝送リソースが占用するＲＢまたはサブキャリアの位置などである。本実施例において、これについて限定されない。当該実施形態において、上記３つのパラメータのうちの１つまたは複数によって、ＵＥが上記伝送リソースを確定して伝送を行う。
【００４９】
選択可能に、ステップ２０１は、基地局から時間上１ｍｓ以下の物理下りリンク制御チャネルで伝送される上記ＤＣＩをＵＥが受信することを含む。
【００５０】
当該実施形態において、時間上１ｍｓ以下の物理下りリンク制御チャネルでの上記ＤＣＩの伝送が実現される。ここで、上記物理下りリンク制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）またはＳ‐ＰＤＣＣＨ（Ｓｈｏｒｔ  Ｐｈｙｓｉｃａｌ  Ｄｏｗｎｌｉｎｋ  Ｃｏｎｔｒｏｌ  Ｃｈａｎｎｅｌ）である。例えば、上記ＤＣＩは、時間上０．５ｍｓのＳ‐ＰＤＣＣＨでＵＥに伝送される。すなわち、Ｓ‐ＰＤＣＣＨは、０．５ｍｓのＴＴＩに基づいて上記ＤＣＩを伝送する。
【００５１】
選択可能に、上記伝送リソースは、時間上１ｍｓ以下であり、かつ上りリンクまたは下りリンクの物理シェアドチャネルの伝送に用いられる。
【００５２】
当該実施形態において、上記伝送リソースが時間上１ｍｓ以下であり、かつ上りリンクまたは下りリンクの物理シェアドチャネルの伝送に用いられることが実現される。すなわち、上記伝送リソースは、上りリンクまたは下りリンクの物理シェアドチャネルに占用される伝送リソースである。このように、上記ＵＥは、上記伝送リソースで物理シェアドチャネルを用いて上りリンクデータまたは下りリンクデータを伝送すること、および、上記伝送リソースで物理シェアドチャネルを用いて上りリンクシグナリングまたは下りリンクシグナリングなどを伝送することができ、これについて本実施例では限定されない。ここで、上記物理シェアドチャネルは、ＰＵＳＣＨ（Ｐｈｙｓｉｃａｌ  Ｕｐｌｉｎｋ  Ｓｈａｒｅｄ  Ｃｈａｎｎｅｌ）またはＰＤＳＣＨ（Ｐｈｙｓｉｃａｌ  Ｄｏｗｎｌｉｎｋ  Ｓｈａｒｅｄ  Ｃｈａｎｎｅｌ）またはＳ‐ＰＵＳＣＨ（Ｓｈｏｒｔ  Ｐｈｙｓｉｃａｌ  Ｕｐｌｉｎｋ  Ｓｈａｒｅｄ  Ｃｈａｎｎｅｌ）またはＳ‐ＰＤＳＣＨ（Ｓｈｏｒｔ  Ｐｈｙｓｉｃａｌ  Ｄｏｗｎｌｉｎｋ  Ｓｈａｒｅｄ  Ｃｈａｎｎｅｌ）などである。
【００５３】
選択可能に、上記指示情報は、Ｍ（１以上の正整数）ビットによって上記伝送リソースのＴＴＩ長を指示する。
【００５４】
当該実施形態において、Ｍビットによって上記伝送リソースのＴＴＩ長を指示することが実現される。例えば、３ビットまたは４ビットによって上記伝送リソースのＴＴＩ長を指示する。
【００５５】
選択可能に、当該実施形態において、上記ＴＴＩ長は、１つまたは複数のＯＦＤＭシンボルである。例えば、上記指示情報は、Ｍビットによって上記伝送リソースのＯＦＤＭシンボル数を指示する。
【００５６】
例えば、２ビットまたは３ビットまたは４ビットなどによって上記伝送リソースのＯＦＤＭシンボル数を指示する。例えば、ビット００１１によって、端末の上記伝送リソースが３つのＯＦＤＭシンボルを占用することを指示し、ビット０１０によって、端末の上記伝送リソースが２つのＯＦＤＭシンボルを占用することを指示する。
【００５７】
選択可能に、上記実施形態において、上記指示情報は、ＴＴＩ長集合で上記伝送リソースのＴＴＩ長に対応する集合元素数をＭビットによって指示する。ここで、当該実施形態において、基地局とＵＥとの間では、ＴＴＩ長集合が予め取り決められる。当該ＴＴＩ長集合は、集合要素数を１つまたは複数含む。各集合要素数は、１つのＴＴＩ長を示す。例えば、ＴＴＩ長集合が｛１，２，３，４，７，１４｝であり、すなわちこれらの集合要素数は、それぞれ１、２，３、４、７、１４個のＯＦＤＭシンボルのＴＴＩ長を示す。例えば、ビット０１０によって、伝送リソースが３つのＯＦＤＭシンボルを占用して伝送することを指示し、または、ビット１００によって、伝送リソースが７つのＯＦＤＭシンボルを占用して伝送することを指示する。このように、上記伝送リソースのＴＴＩ長に対応する集合要素数を上記指示情報によって指示すれば、ＵＥは、当該指示情報に指示される集合要素数に基づいて、上記伝送リソースのＴＴＩ長を確定することができる。例えば、可変ＴＴＩ長集合に計Ｋ種類のＴＴＩ長を含むとすると、
【数１】
2019516284.tif 000003
から、ＵＥは、Ｍを取得すると、上記伝送リソースのＴＴＩ長がＴＴＩ長集合におけるどのＴＴＩ長であるか取得することができる。
【００５８】
選択可能に、上記指示情報は、Ｎ（１以上の正整数）ビットによって上記伝送リソースの時間領域位置を指示する。
【００５９】
例えば、１ビットまたは２ビットまたは３ビットまたは４ビットなどによって上記伝送リソースの時間領域位置を指示する。ここの時間領域位置は、時間領域開始位置である。もちろん、一部のシーンで、上記時間領域位置は、時間領域開始位置と時間領域終了位置であってもよく、これについて本実施例において限定されない。例えば、上記指示情報は、ビット１によって、上記伝送リソースの伝送がシンボル＃７から開始することを指示し、または、ビット１０によって、上記伝送リソースがサブフレームｎ＋２で伝送されることを指示し、ビット０によって、上記伝送リソースの伝送がサブフレームｎ＋２のシンボル＃０から開始することを指示する。ここで、上記ｎは、現在のサブフレームを示し、上記＃は、シンボルの番号または位置を示す。
【００６０】
選択可能に、当該実施形態において、上記指示情報は、上記伝送リソースの開始サブフレームの番号をＮビットによって指示する。
【００６１】
ここで、上記開始サブフレームは、上記伝送リソースの伝送が開始するサブフレームと理解してもよい。例えば、上記指示情報は、２ビットによって上記伝送リソースの伝送が開始するサブフレームを指示する。例えば００によって現在のサブフレームｎを示し、０１によって次のサブフレームｎ＋１を示し、０２によってさらに次のサブフレームｎ＋２を示し、１１は、サブフレームｎ＋３を示す。よって、伝送リソースが節約される。
【００６２】
選択可能に、上記実施形態において、上記指示情報は、上記伝送リソースの開始ＯＦＤＭシンボルの番号をＮビットによって指示する。
【００６３】
ここで、上記開始ＯＦＤＭシンボルは、上記伝送リソースの伝送が開始するＯＦＤＭシンボルと理解してもよい。当該実施形態において、伝送リソースが節約される。例えば、上記指示情報は、ビット１０１１によって、上記伝送リソースの伝送が開始するＯＦＤＭシンボル番号が＃１１であることを指示したり、またはビット１０１０によって、上記伝送リソースの伝送が開始するＯＦＤＭシンボル番号が＃１０であることを指示したりする。また、実施形態において、上記開始サブフレーム番号の実施形態と組み合わせて実現されてもよい。例えば、上記指示情報は、ビット００によって、上記伝送リソースの伝送が開始するサブフレームが現在のサブフレームであることを指示し、ビット１０１１によって、上記伝送リソースの現在のサブフレームでの開始ＯＦＤＭシンボル番号が＃１１であることを指示する。または、上記指示情報は、ビット０１によって、上記伝送リソースの伝送が開始するサブフレームがサブフレームｎ＋１（ｎ：現在のサブフレームを示す。）であることを指示し、ビット１０１０によって、上記伝送リソースの現在のサブフレームでの開始ＯＦＤＭシンボル番号が＃１０であることを指示する。もちろん、一部のシーンでは、上記指示情報は、上記開始サブフレーム番号の実施形態と組み合わせなくても実現される。すなわち、指示情報は、開始シンボルの位置のみを指示する。例えば、ここの開始シンボルの位置は、現在のサブフレームまたは現在のサブフレームの次のサブフレームでの位置としてディフォルトで見なされる。
【００６４】
選択可能に、上記実施形態において、上記指示情報は、所定位置から上記伝送リソースの時間領域開始位置の偏移量をＮビットによって指示する。
【００６５】
上記所定位置は、基地局とＵＥとの間で予め協議で取り決められた所定位置である。例えば、上記所定位置は、上記ＤＣＩの伝送リソースの時間領域開始位置であり、または、例えばサブフレームが中間位置に位置するＯＦＤＭシンボルなどの、基準になっているＯＦＤＭシンボルである。また、上記指示情報は、所定位置から上記伝送リソースの開始サブフレームまたは開始ＯＦＤＭシンボルの偏移量を指示する。当該実施形態において、上記偏移量のみを指示すれば、上記伝送リソースの時間領域開始位置の指示が実現されるため、伝送リソースが節約される。例えば、上記指示情報は、ビット１０によって、所定位置から上記伝送ソースの開始ＯＦＤＭシンボルの  量が２つのＯＦＤＭシンボルであることを指示する。
【００６６】
選択可能に、上記実施形態において、上記指示情報は、時間領域開始位置集合で上記伝送リソースの時間領域開始位置に対応する集合元素数をＮビットによって指示する。
【００６７】
当該実施形態において、基地局とＵＥの間では、時間領域開始位置集合が予め協議で取り決められる。当該時間領域開始位置集合は、集合要素数を１つまたは複数含む。各集合要素数は、１つの時間領域開始位置を示す。例えば、時間領域開始位置集合が｛０，１，２，３｝であり、すなわちこれらの集合要素数は、それぞれ上記伝送リソースの開始サブフレームの番号が０、１、２、３であることを示す。ここで、０は、現在のサブフレームを示し、１は、現在のサブフレームの次のサブフレームを示す。また、上記時間領域開始位置集合は、開始サブフレームと開始ＯＦＤＭシンボルを組み合わせた集合であってもよい。すなわち、当該集合によって、上記伝送リソースの開始サブフレームと開始ＯＦＤＭシンボルを確定することができる。このように、上記伝送リソースの時間領域開始位置に対応する集合要素数を上記指示情報によって指示すれば、ＵＥは、当該指示情報により指示される集合要素数に基づいて、上記伝送リソースの時間領域開始位置を確定することができる。例えば、可変ＴＴＩ長集合に計Ｌ種類の時間領域開始位置を含むとすると、
【数２】
2019516284.tif 000004
となる。ＵＥは、Ｎを取得すると、上記伝送リソースの時間領域開始位置が時間領域開始位置集合におけるどの時間領域開始位置であるか取得することができる。
【００６８】
選択可能に、上記指示情報は、Ｑ（１以上の正整数）ビットによって上記伝送リソースのＴＴＩ長と時間領域位置を指示する。
【００６９】
当該実施形態において、指示情報でＴＴＩ長と時間領域位置の指示ビットのジョイント符号化のケースが実現され、必要される指示ビットの軽減が可能であり、伝送リソースが節約される。例えば、ＵＥが１、２、３、４、７個のＯＦＤＭシンボルのＴＴＩ長の使用を指示し、それに対応して１つのサブフレームでありうるＯＦＤＭシンボル開始位置は、それぞれ１２、６、４、３、２種類である。ジョイント符号化で指示すれば、５ビットのみが必要となるが、別々に指示する場合、７ビットが必要となる。ここで、当該実施形態において、上記ＴＴＩ長と時間領域位置は、上記実施形態で紹介したＴＴＩ長と時間領域位置を参照されたく、ここでは繰り返して記載しない。
【００７０】
選択可能に、上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む。
【００７１】
当該実施形態において、Ｐビットで上記伝送リソースの周波数領域位置を指示することが実現される。例えば、Ｐビットによって、伝送リソースが占用するＲＢまたはサブキャリアの位置を指示する。ＵＥは、上記指示情報を受信すると、当該Ｐビットによって、上記伝送リソースが占用するＲＢまたはサブキャリアの位置を確定することができ、対応する位置で伝送を行う。
【００７２】
なお、本実施例において、以上紹介した多種類の選択可能な実施形態は、互いに組み合わせて実現されてもよく、別々に実現されてもよい。以下、上記伝送リソースのＯＦＤＭシンボル数、および、伝送リソースの開始ＯＦＤＭシンボルを指示情報によって指示する実施形態を組み合わせて実現することを例示する。
【００７３】
図３に示されているように、１つのＵＥの基地局によるスケジューリングを説明する。基地局は、まず従来のＰＤＣＣＨ伝送を行ってもよく、これについて本開示の実施例において限定されない。基地局は、サブフレームｎのＳ‐ＰＤＣＣＨで０．５ｍｓのＴＴＩに基づいてＤＣＩを伝送する。すなわちＳ‐ＰＤＣＣＨは、時間上０．５ｍｓであり、当該ＤＣＩは、Ｓ‐ＰＤＳＣＨに占用される伝送リソースを指示する。ここで、ＤＣＩには、Ｓ‐ＰＤＳＣＨ伝送に占用される伝送リソースのＯＦＤＭシンボル数を指示するための４ビットを含み、さらにＳ‐ＰＤＳＣＨ伝送に占用される伝送リソースの開始ＯＦＤＭシンボル番号を指示するための４ビットも含む。例えば、第１タイムスロットの１つのＤＣＩには、ビット００１１によって、ＵＥの第１個のＳ‐ＰＤＳＣＨが３つのＯＦＤＭを占用して伝送することを指示し（すなわち第１個のＳ‐ＰＤＳＣＨが占用する伝送リソースのＯＦＤＭシンボル数が３である。）、ビット００１０によって、ＵＥの第１個のＳ‐ＰＤＳＣＨ伝送の開始ＯＦＤＭシンボル番号が＃２である（その前の２つのシンボルは従来のＰＤＣＣＨ伝送に用いられる。）ことを指示する（すなわち第１個のＳ‐ＰＤＳＣＨが占用する伝送リソースの開始ＯＦＤＭシンボルの番号が＃２である。）。第１タイムスロットの別のＤＣＩには、ビット００１１によって、ＵＥの第２個のＳ‐ＰＤＳＣＨが３つのＯＦＤＭを占用して伝送することを指示し、ビット０１０１によって、ＵＥの第２個のＳ‐ＰＤＳＣＨ伝送の開始ＯＦＤＭシンボル番号が＃５であることを指示する。類似的に、第２タイムスロットの１つのＤＣＩには、ビット００１１によって、ＵＥの第３個のＳ‐ＰＤＳＣＨが３つのＯＦＤＭを占用して伝送することを指示し、ビット１０００によって、ＵＥの第３個のＳ‐ＰＤＳＣＨ伝送の開始ＯＦＤＭシンボル番号が＃８ある（その前の２つのシンボルは従来のＰＤＣＣＨ伝送に用いられる。）ことを指示する。第２タイムスロットの別のＤＣＩには、ビット００１１によって、ＵＥの第４個のＳ‐ＰＤＳＣＨが３つのＯＦＤＭを占用して伝送することを指示し、ビット１０１１によって、ＵＥの第４個のＳ‐ＰＤＳＣＨ伝送の開始ＯＦＤＭシンボル番号が＃１１であることを指示する。
【００７４】
以下、上記伝送リソースのＯＦＤＭシンボル数、伝送リソースの開始サブフレーム、および、伝送リソースの開始ＯＦＤＭシンボルを指示情報によって指示する実施形態を組み合わせて実現することを例示する。
【００７５】
図４に示されているように、１つのＵＥの基地局によるスケジューリングを説明する。基地局は、まず従来のＰＤＣＣＨ伝送を行ってもよく、これについて本開示の実施例において限定されない。基地局は、サブフレームｎのＳ‐ＰＤＣＣＨで０．５ｍｓのＴＴＩに基づいてＤＣＩを伝送する。すなわちＳ‐ＰＤＣＣＨは、時間上０．５ｍｓであり、当該ＤＣＩは、Ｓ‐ＰＤＳＣＨにより占用される伝送リソースを指示する。ここで、ＤＣＩには、Ｓ‐ＰＤＳＣＨ伝送に占用されるＯＦＤＭシンボル数を指示するための４ビットを含み、さらにＳ‐ＰＤＳＣＨ伝送が開始するサブフレーム（例えば００によって現在のサブフレームｎを示し、０１によって次のサブフレームｎ＋１を示し、０２によってさらに次のサブフレームｎ＋２を示し、１１によってサブフレームｎ＋３を示す。）を指示するための２ビットを含み、さらにＳ‐ＰＤＳＣＨ伝送が開始するＯＦＤＭシンボル番号を指示するための４ビットを含む。例えば、サブフレームｎの第１タイムスロットのＤＣＩには、ビット００１１によって、ＵＥの第１個のＳ‐ＰＤＳＣＨが３つのＯＦＤＭを占用して伝送することを指示し、ビット００によって、スケジューリングされるＳ‐ＰＤＳＣＨが現在のサブフレームで伝送されることを指示し、ビット１０１１によって、ＵＥのＳ‐ＰＤＳＣＨ伝送の開始ＯＦＤＭシンボル番号が＃１１であることを指示する。サブフレームｎの第２タイムスロットのＤＣＩには、ビット０１００によって、ＵＥの第２個のＳ‐ＰＤＳＣＨが４つのＯＦＤＭを占用して伝送することを指示し、ビット０１によって、スケジューリングされるＳ‐ＰＤＳＣＨがサブフレームｎ＋１で伝送されることを指示し、ビット１０１０によって、端末のＳ‐ＰＤＳＣＨ伝送の開始ＯＦＤＭシンボル番号が＃１０であることを指示する。
【００７６】
以下、上記伝送リソースのＴＴＩ長集合、伝送リソースの開始サブフレーム、および、伝送リソースの開始時間領域位置集合を指示情報によって指示する実施形態を組み合わせて実現することを例示する。
【００７７】
図５に示されているように、１つのＵＥの基地局によるスケジューリングを説明する。基地局は、まず従来のＰＤＣＣＨ伝送を行ってもよく、これについて、本開示の実施例において限定されない。基地局は、サブフレームｎのＳ‐ＰＤＣＣＨで４個のＯＦＤＭシンボルのＴＴＩ長に基づいて伝送する。基地局は、Ｓ‐ＰＵＳＣＨにより占用される伝送リソースを指示するためのＤＣＩ情報をＳ‐ＰＤＣＣＨで伝送する。ＤＣＩには、Ｓ‐ＰＵＳＣＨ伝送が占用するＯＦＤＭシンボル数集合（サポートされるＳ‐ＰＵＳＣＨシンボル数集合が｛１，２，３，４，７，１４｝であると仮定する。）を指示するための３ビットを含み、さらにＳ‐ＰＵＳＣＨ伝送の開始サブフレーム（例えば００によって現在のサブフレームｎを示し、０１によって次のサブフレームｎ＋１を示し、０２によってさらに次のサブフレームｎ＋２を示し、１１によってサブフレームｎ＋３を示す。）を指示するための２ビットを含み、さらにＳ‐ＰＵＳＣＨ伝送の開始ＯＦＤＭシンボル位置（サポートされるＳ‐ＰＵＳＣＨ伝送の選択可能な開始時間領域位置集合がＯＦＤＭシンボル＃｛０，７｝であると仮定する。）を指示するための１ビットを含む。例えば、第１個のＤＣＩには、ビット０１０によって、スケジューリングされるＳ‐ＰＵＳＣＨが３つのＯＦＤＭシンボルを占用して伝送することを指示し、ビット１０によって、Ｓ‐ＰＵＳＣＨがサブフレームｎ＋１で伝送されることを指示し、ビット１によって、Ｓ‐ＰＵＳＣＨ伝送がシンボル＃７から開始することを指示する。第２個のＤＣＩには、ビット１００によって、ＵＥの第２個のＳ‐ＰＵＳＣＨが７つのＯＦＤＭシンボルを占用して伝送することを指示し、ビット１０によって、スケジューリングされるＰＵＳＣＨがサブフレームｎ＋２で伝送されることを指示し、ビット０によって、Ｓ‐ＰＵＳＣＨ伝送がシンボル＃０から開始することを指示する。
【００７８】
本実施例において、基地局から伝送される、伝送リソースのＴＴＩ長、時間領域位置および周波数領域位置のうちの１つまたは複数を指示するための指示情報を含むＤＣＩをＵＥが受信し、上記ＵＥが指示情報に基づいて上記伝送リソースを確定して上記伝送リソースで伝送を行う。よって、伝送リソースをＵＥに知らせることができる。
【００７９】
図１に示すネットワーク構造に基づき、本開示の実施例による別の伝送リソース指示方法は、図６に示されているように、伝送リソースのＴＴＩ長、時間領域位置および周波数領域位置のうちの１つまたは複数を指示するための指示情報を含むＤＣＩを基地局が生成するステップ６０１と、ＵＥが指示情報に基づいて上記伝送リソースを確定して上記伝送リソースで伝送を行うよう、上記基地局から上記ＤＣＩを上記ＵＥに伝送するステップ６０２とを含む。
【００８０】
ここで、上記指示情報、伝送リソース、リソースパラメータおよび上記ＴＴＩは、図２に示す実施例の関連説明を参照されたく、ここでは繰り返して記載しない。
【００８１】
選択可能に、基地局から上記ＤＣＩをＵＥに伝送することは、上記基地局が時間上１ｍｓ以下の物理下りリンク制御チャネルでＵＥに上記ＤＣＩを伝送することを含む。
【００８２】
ここで、上記ＤＣＩの伝送は、図２に示す実施例の関連説明を参照されたく、ここでは繰り返して記載しない。
【００８３】
選択可能に、上記伝送リソースは、時間上１ｍｓ以下であり、かつ上りリンクまたは下りリンクの物理シェアドチャネルの伝送に用いられる。
【００８４】
ここで、上記物理シェアドチャネルは、図２に示す実施例の関連説明を参照されたく、ここでは繰り返して記載しない。
【００８５】
選択可能に、上記指示情報は、Ｍ（１以上の正整数）ビットによって上記伝送リソースのＴＴＩ長を指示する。
【００８６】
選択可能に、上記指示情報は、上記伝送リソースのＯＦＤＭシンボル数、または、ＴＴＩ長集合で上記伝送リソースのＴＴＩ長に対応する集合元素数を、Ｍビットによって指示する。
【００８７】
ここで、当該実施形態において、上記指示情報は、図２に示す実施例の関連説明を参照されたく、ここでは繰り返して記載しない。
【００８８】
選択可能に、上記指示情報は、Ｎ（１以上の正整数）ビットによって上記伝送リソースの時間領域位置を指示する。
【００８９】
選択可能に、当該実施形態において、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【００９０】
ここで、当該実施形態において、上記指示情報は、図２に示す実施例の関連説明を参照されたく、ここでは繰り返して記載しない。
【００９１】
選択可能に、上記指示情報は、Ｑ（１以上の正整数）ビットによって上記伝送リソースのＴＴＩ長と時間領域位置を指示する。
【００９２】
ここで、当該実施形態において、上記指示情報は、図２に示す実施例の関連説明を参照されたく、ここでは繰り返して記載しない。
【００９３】
選択可能に、上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む。
【００９４】
ここで、当該実施形態において、上記指示情報は、図２に示す実施例の関連説明を参照されたく、ここでは繰り返して記載しない。
【００９５】
なお、上記方法は、図１に示すネットワーク構造のＵＥに応用してもよい。すなわち、ＵＥは、上記方法を実現することができる。
【００９６】
本実施例において、伝送リソースのＴＴＩ長、時間領域位置および周波数領域位置のうちの１つまたは複数を指示するための指示情報を含むＤＣＩを基地局が生成する。ＵＥが指示情報に基づいて上記伝送リソースを確定して上記伝送リソースで伝送を行うよう、上記基地局から上記ＤＣＩを上記ＵＥに伝送する。よって、伝送リソースをＵＥに知らせることができる。
【００９７】
図７に示すＵＥの構造として、基地局から伝送される、伝送リソースのＴＴＩ長、時間領域位置および周波数領域位置のうちの１つまたは複数を指示するための指示情報を含むＤＣＩを受信する受信モジュール７１と、指示情報に基づいて上記伝送リソースを確定して上記伝送リソースで伝送を行う伝送モジュール７２とを含む。
【００９８】
選択可能に、受信モジュール７１は、基地局から時間上１ｍｓ以下の物理下りリンク制御チャネルで伝送される上記ＤＣＩを受信することに用いられる。
【００９９】
選択可能に、上記伝送リソースは、時間上１ｍｓ以下であり、かつ上りリンクまたは下りリンクの物理シェアドチャネルの伝送に用いられる。
【０１００】
選択可能に、上記指示情報は、Ｍ（１以上の正整数）ビットによって上記伝送リソースのＴＴＩ長を指示する。
【０１０１】
選択可能に、上記指示情報は、上記伝送リソースのＯＦＤＭシンボル数、または、ＴＴＩ長集合で上記伝送リソースのＴＴＩ長に対応する集合元素数を、Ｍビットによって指示する。
【０１０２】
選択可能に、上記指示情報は、Ｎ（１以上の正整数）ビットによって上記伝送リソースの時間領域位置を指示する。
【０１０３】
選択可能に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【０１０４】
選択可能に、上記指示情報は、Ｑ（１以上の正整数）ビットによって上記伝送リソースのＴＴＩ長と時間領域位置を指示する。
【０１０５】
選択可能に、上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む。
【０１０６】
なお、本実施例において、上記ＵＥは、図１〜図６に示す実施例のＵＥである。図１〜図６に示す実施例のＵＥの任意の実施形態を、本実施例の上記ＵＥによって実現することができ、しかも同一の効果を奏することができるため、ここでは繰り返して記載しない。
【０１０７】
図８に示す基地局の構造として、伝送リソースのＴＴＩ長、時間領域位置および周波数領域位置のうちの１つまたは複数を指示するための指示情報を含むＤＣＩを生成する生成モジュール８１と、ＵＥが指示情報に基づいて上記伝送リソースを確定して上記伝送リソースで伝送を行うよう、上記ＤＣＩを上記ＵＥに伝送する伝送モジュール８２とを含む。
【０１０８】
選択可能に、伝送モジュール８２は、時間上１ｍｓ以下の物理下りリンク制御チャネルでＵＥに上記ＤＣＩを伝送することに用いられる。
【０１０９】
選択可能に、上記伝送リソースは、時間上１ｍｓ以下であり、かつ上りリンクまたは下りリンクの物理シェアドチャネルの伝送に用いられる。
【０１１０】
選択可能に、上記指示情報は、Ｍ（１以上の正整数）ビットによって上記伝送リソースのＴＴＩ長を指示する。
【０１１１】
選択可能に、上記指示情報は、上記伝送リソースのＯＦＤＭシンボル数、または、ＴＴＩ長集合で上記伝送リソースのＴＴＩ長に対応する集合元素数を、Ｍビットによって指示する。
【０１１２】
選択可能に、上記指示情報は、Ｎ（１以上の正整数）ビットによって上記伝送リソースの時間領域位置を指示する。
【０１１３】
選択可能に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【０１１４】
選択可能に、上記指示情報は、Ｑ（１以上の正整数）ビットによって上記伝送リソースのＴＴＩ長と時間領域位置を指示する。
【０１１５】
選択可能に、上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む。
【０１１６】
なお、本実施例において、上記基地局は、図１〜図６に示す実施例の基地局である。図１〜図６に示す実施例の基地局の任意の実施形態を、本実施例の上記基地局によって実現することができ、しかも同一の効果を奏することができるため、ここでは繰り返して記載しない。
【０１１７】
図９に示すＵＥの構造として、プロセッサ９００と、プロセッサ９００による制御でデータを送受信するトランシーバ９１０と、メモリ９２０と、ユーザインタフェース９３０と、バスインタフェースとを含む。プロセッサ９００は、メモリ９２０からプログラムを読み取って、基地局から伝送される、伝送リソースのＴＴＩ長、時間領域位置および周波数領域位置のうちの１つまたは複数を指示するための指示情報を含むＤＣＩをトランシーバ９１０で受信するプロセスと、指示情報に基づいて上記伝送リソースを確定し、上記伝送リソースでトランシーバ９１０によって伝送を行うプロセスとを実行することに用いられる。
【０１１８】
図９において、バスアーキテクチャは、任意数の相互接続するバスとブリッジを含み、具体的に、プロセッサ９００をはじめとする１つ又は複数のプロセッサとメモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９１０は、複数の部品であってもよく、即ち送信機と受信機を含み、伝送媒体でほかの各種類の装置と通信するユニットとして提供される。ユーザ端末によっては、ユーザインタフェース９３０は、内部接続や外部接続する機器のインタフェースであってもよい。接続する機器は、キーパッド、ディスプレイ、スピーカ、マイクロフォン、ジョイスティックなどを含むが、それらに限られない。
【０１１９】
プロセッサ９００は、バスアーキテクチャと通常の処理を管理する。メモリ９２０は、プロセッサ９００による操作実行に使用されるデータを記憶できる。
【０１２０】
選択可能に、トランシーバ９１０を介して基地局から伝送されるＤＣＩの受信をプロセッサ９００が実行することは、基地局から時間上１ｍｓ以下の物理下りリンク制御チャネルで伝送される上記ＤＣＩをトランシーバ９１０を介して受信することを含む。
【０１２１】
選択可能に、上記伝送リソースは、時間上１ｍｓ以下であり、かつ上りリンクまたは下りリンクの物理シェアドチャネルの伝送に用いられる。
【０１２２】
選択可能に、上記指示情報は、Ｍ（１以上の正整数）ビットによって上記伝送リソースのＴＴＩ長を指示する。
【０１２３】
選択可能に、上記指示情報は、上記伝送リソースのＯＦＤＭシンボル数、または、ＴＴＩ長集合で上記伝送リソースのＴＴＩ長に対応する集合元素数を、Ｍビットによって指示する。
【０１２４】
選択可能に、上記指示情報は、Ｎ（１以上の正整数）ビットによって上記伝送リソースの時間領域位置を指示する。
【０１２５】
選択可能に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【０１２６】
選択可能に、上記指示情報は、Ｑ（１以上の正整数）ビットによって上記伝送リソースのＴＴＩ長と時間領域位置を指示する。
【０１２７】
選択可能に、上記指示情報は、Ｐ（１以上の正整数）ビットによって上記伝送リソースの周波数領域位置を指示し、ここで、上記周波数領域位置は、上記伝送リソースが占用するＲＢ（Ｒｅｓｏｕｒｃｅ  Ｂｌｏｃｋ）の位置、または、上記伝送リソースが占用するサブキャリアの位置を含む。
【０１２８】
なお、本実施例において、上記ＵＥは、図１〜図６に示す実施例のＵＥである。図１〜図６に示す実施例のＵＥの任意の実施形態を、本実施例の上記ＵＥによって実現することができ、しかも同一の効果を奏することができるため、ここでは繰り返して記載しない。
【０１２９】
図１０に示す基地局の構造として、プロセッサ１０００と、プロセッサ１０００による制御でデータを送受信するトランシーバ１０１０と、メモリ１０２０と、ユーザインタフェース１０３０と、バスインタフェースを含む。プロセッサ１０００は、メモリ１０２０からプログラムを読み取って、伝送リソースのＴＴＩ長、時間領域位置および周波数領域位置のうちの１つまたは複数を指示するための指示情報を含むＤＣＩを生成するプロセスと、ＵＥが指示情報に基づいて上記伝送リソースを確定して上記伝送リソースで伝送を行うよう、上記ＤＣＩをトランシーバ１０１０によって上記ＵＥに伝送するプロセスとを実行することに用いられる。
【０１３０】
ここで、図１０において、バスアーキテクチャは、任意数の相互接続するバスとブリッジを含み、具体的に、プロセッサ１０００をはじめとする１つ又は複数のプロセッサとメモリ１０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１０１０は、複数の部品であってもよく、即ち送信機と受信機を含み、伝送媒体でほかの各種類の装置と通信するユニットとして提供される。プロセッサ１０００は、バスアーキテクチャと通常の処理を管理する。メモリ１０２０は、プロセッサ１０００による操作実行に使用されるデータを記憶できる。
【０１３１】
プロセッサ１０００は、バスアーキテクチャと通常の処理を管理する。メモリ１０２０は、プロセッサ１０００による操作実行に使用されるデータを記憶できる。
【０１３２】
選択可能に、プロセッサ１０００が、トランシーバ１０１０によって上記ＤＣＩをＵＥに伝送することを実行することは、時間上１ｍｓ以下の物理下りリンク制御チャネルでトランシーバ１０１０によって上記ＤＣＩをＵＥに伝送することを含む。
【０１３３】
選択可能に、上記伝送リソースは、時間上１ｍｓ以下であり、かつ上りリンクまたは下りリンクの物理シェアドチャネルの伝送に用いられる。
【０１３４】
選択可能に、上記指示情報は、Ｍ（１以上の正整数）ビットによって上記伝送リソースのＴＴＩ長を指示する。
【０１３５】
選択可能に、上記指示情報は、上記伝送リソースのＯＦＤＭシンボル数、または、ＴＴＩ長集合で上記伝送リソースのＴＴＩ長に対応する集合元素数を、Ｍビットによって指示する。
【０１３６】
選択可能に、上記指示情報は、Ｎ（１以上の正整数）ビットによって上記伝送リソースの時間領域位置を指示する。
【０１３７】
選択可能に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する。
【０１３８】
選択可能に、上記指示情報は、Ｑ（１以上の正整数）ビットによって上記伝送リソースのＴＴＩ長と時間領域位置を指示する。
【０１３９】
選択可能に、上記指示情報は、Ｐ（１以上の正整数）ビットによって上記伝送リソースの周波数領域位置を指示し、ここで、上記周波数領域位置は、上記伝送リソースが占用するＲＢ（Ｒｅｓｏｕｒｃｅ  Ｂｌｏｃｋ）の位置、または、上記伝送リソースが占用するサブキャリアの位置を含む。
【０１４０】
なお、本実施例において、上記基地局は、図１〜図６に示す実施例の基地局である。図１〜図６に示す実施例の基地局の任意の実施形態を、本実施例の上記基地局によって実現することができ、しかも同一の効果を奏することができるため、ここでは繰り返して記載しない。
【０１４１】
図１１に示す伝送リソース指示システムは、基地局１１１とＵＥ１１２とを含む。上記基地局１１１は、伝送リソースのＴＴＩ長、時間領域位置および周波数領域位置のうちの１つまたは複数を指示するための指示情報を含むＤＣＩを生成すること、さらに、上記ＤＣＩをＵＥ１１２に伝送することに用いられる。上記ＵＥ１１２は、上記基地局１１１から伝送される上記ＤＣＩを受信すること、さらに、指示情報に基づいて上記伝送リソースを確定して上記伝送リソースで伝送を行うことに用いられる。
【０１４２】
本実施例において、基地局１１１とＵＥ１１２は、図１〜図６に示す実施例で紹介された基地局とＵＥである。他の実施形態について、図１〜図６に示す実施形態を参照されたい。同一の効果を奏することができ、ここでは繰り返して記載しない。
【０１４３】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１４４】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１４５】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。上記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１４６】
以上記載されたのは、本開示の選択可能な実施形態である。当業者は、本開示に記載されている原理を逸脱せずに様々な改良や修飾をすることもできる。これらの改良や修飾も、本開示の保護範囲内に含まれる。
【図１】
2019516284.tif 000005
【図２】
2019516284.tif 000006
【図３】
2019516284.tif 000007
【図４】
2019516284.tif 000008
【図５】
2019516284.tif 000009
【図６】
2019516284.tif 000010
【図７】
2019516284.tif 000011
【図８】
2019516284.tif 000012
【図９】
2019516284.tif 000013
【図１０】
2019516284.tif 000014
【図１１】
2019516284.tif 000015
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
基地局から伝送される、伝送リソースのＴＴＩ（Ｔｒａｎｓｍｉｓｓｉｏｎ  Ｔｉｍｅ  Ｉｎｔｅｒｖａｌ）長、時間領域位置および周波数領域位置のうちの１つまたは複数を指示するための指示情報を含むＤＣＩ（Ｄｏｗｎｌｉｎｋ  Ｃｏｎｔｒｏｌ  Ｉｎｆｏｒｍａｔｉｏｎ）をＵＥ（Ｕｓｅｒ  Ｅｑｕｉｐｍｅｎｔ）が受信することと、
上記ＵＥが指示情報に基づいて上記伝送リソースを確定して上記伝送リソースで伝送を行うこととを含む伝送リソース指示方法。
【請求項２】
基地局から伝送されるＤＣＩを上記ＵＥが受信することは、
基地局から時間上１ｍｓ以下の物理下りリンク制御チャネルで伝送される上記ＤＣＩを上記ＵＥが受信することを含む請求項１に記載の方法。
【請求項３】
上記伝送リソースは、時間上１ｍｓ以下であり、かつ上りリンクまたは下りリンクの物理シェアドチャネルの伝送に用いられる請求項１または２に記載の方法。
【請求項４】
上記指示情報は、Ｍ（１以上の正整数）ビットによって上記伝送リソースのＴＴＩ長を指示し、
選択的に、上記指示情報は、上記伝送リソースのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数、または、ＴＴＩ長集合で上記伝送リソースのＴＴＩ長に対応する集合元素数を、Ｍビットによって指示する請求項１または２に記載の方法。
【請求項５】
上記指示情報は、Ｎ（１以上の正整数）ビットによって上記伝送リソースの時間領域位置を指示し、
選択的に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する請求項１または２に記載の方法。
【請求項６】
上記指示情報は、Ｑ（１以上の正整数）ビットによって上記伝送リソースのＴＴＩ長と時間領域位置を指示し、
または、
上記指示情報は、Ｐ（１以上の正整数）ビットによって上記伝送リソースの周波数領域位置を指示し、ここで、上記周波数領域位置は、上記伝送リソースが占用するＲＢ（Ｒｅｓｏｕｒｃｅ  Ｂｌｏｃｋ）の位置、または、上記伝送リソースが占用するサブキャリアの位置を含む請求項１または２に記載の方法。
【請求項７】
伝送リソースのＴＴＩ長、時間領域位置および周波数領域位置のうちの１つまたは複数を指示するための指示情報を含むＤＣＩを基地局が生成することと、
ＵＥが指示情報に基づいて上記伝送リソースを確定して上記伝送リソースで伝送を行うよう、上記基地局から上記ＤＣＩを上記ＵＥに伝送することとを含む伝送リソース指示方法。
【請求項８】
上記基地局から上記ＤＣＩをＵＥに伝送することは、
上記基地局が時間上１ｍｓ以下の物理下りリンク制御チャネルでＵＥに上記ＤＣＩを伝送することを含む請求項７に記載の方法。
【請求項９】
上記伝送リソースは、時間上１ｍｓ以下であり、かつ上りリンクまたは下りリンクの物理シェアドチャネルの伝送に用いられる請求項７または８に記載の方法。
【請求項１０】
上記指示情報は、Ｍ（１以上の正整数）ビットによって上記伝送リソースのＴＴＩ長を指示し、
選択的に、上記指示情報は、上記伝送リソースのＯＦＤＭシンボル数、または、ＴＴＩ長集合で上記伝送リソースのＴＴＩ長に対応する集合元素数を、Ｍビットによって指示する請求項７または８に記載の方法。
【請求項１１】
上記指示情報は、Ｎ（１以上の正整数）ビットによって上記伝送リソースの時間領域位置を指示し、
選択的に、上記指示情報は、上記伝送リソースの開始サブフレームの番号、または、上記伝送リソースの開始ＯＦＤＭシンボルの番号、または、所定位置から上記伝送リソースの時間領域開始位置の偏移量、または、時間領域開始位置集合で上記伝送リソースの時間領域開始位置に対応する集合元素数を、Ｎビットによって指示する請求項７または８に記載の方法。
【請求項１２】
上記指示情報は、Ｑ（１以上の正整数）ビットによって上記伝送リソースのＴＴＩ長と時間領域位置を指示し、
または、
上記指示情報は、Ｐ（１以上の正整数）ビットによって上記伝送リソースの周波数領域位置を指示し、ここで、上記周波数領域位置は、上記伝送リソースが占用するＲＢの位置、または、上記伝送リソースが占用するサブキャリアの位置を含む請求項７または８に記載の方法。
【請求項１３】
基地局から伝送される、伝送リソースのＴＴＩ長、時間領域位置および周波数領域位置のうちの１つまたは複数を指示するための指示情報を含むＤＣＩを受信する受信モジュールと、
指示情報に基づいて上記伝送リソースを確定して上記伝送リソースで伝送を行う伝送モジュールとを含むＵＥ。
【請求項１４】
伝送リソースのＴＴＩ長、時間領域位置および周波数領域位置のうちの１つまたは複数を指示するための指示情報を含むＤＣＩを生成する生成モジュールと、
ＵＥが指示情報に基づいて上記伝送リソースを確定して上記伝送リソースで伝送を行うよう、上記ＤＣＩを上記ＵＥに伝送する伝送モジュールとを含む基地局。
【請求項１５】
基地局とＵＥとを含む伝送リソース指示システムであって、
上記基地局は、伝送リソースのＴＴＩ長、時間領域位置および周波数領域位置のうちの１つまたは複数を指示するための指示情報を含むＤＣＩを生成すること、さらに、上記ＤＣＩをＵＥに伝送することに用いられ、
上記ＵＥは、上記基地局から伝送される上記ＤＣＩを受信すること、さらに、指示情報に基づいて上記伝送リソースを確定して上記伝送リソースで伝送を行うことに用いられる伝送リソース指示システム。
【国際調査報告】
2019516284.tif 000016
2019516284.tif 000017
2019516284.tif 000018
2019516284.tif 000019